(57)【要約】【課題】  複雑な曲線部分を有する女性用衣料であっても、難易な加工工程を経ることなく、効率的に低コストで製造することができるとともに、複雑なデザインを有する衣料であっても、精巧に製造することが可能な衣料を提供することを課題とする。【解決手段】  所望の形状に形成されたエッジ部を有する衣料において、当該衣料を、製品形状の主要部又は一部分の少なくとも一方を構成するパネルを備えるように構成し、前記パネルには、所望の形状に形成されたエッジ部を分割することなく一体的に形成して課題を解決する。【選択図】  図１
2005089880.tif 000002
【特許請求の範囲】
【請求項１】
所望の形状に形成されたエッジ部を有する衣料において、当該衣料を、製品形状の主要部又は一部分の少なくとも一方を構成するパネルを備えるように構成し、前記パネルには、所望の形状に形成されたエッジ部を分割することなく一体的に形成したことを特徴とする衣料。
【請求項２】
所望の形状に形成されたエッジ部を有する衣料において、当該衣料を、製品形状の主要部を構成する主パネルと、当該主パネルの表面側又は裏面側に配設され、衣料の一部分を構成する部分パネルとを備えるように構成し、前記主パネルと部分パネルには、所望の形状に形成されたエッジ部を分割することなく一体的に形成したことを特徴とする衣料。
【請求項３】
衣料の製品形状の主要部を構成する主パネルと、当該主パネルの表面側又は裏面側に配設され、衣料の一部分を構成する部分パネルとを備えた衣料において、前記主パネルには、衣料の一連の曲線部分をなす端縁が一体的に形成されるとともに、前記部分パネルにも、前記衣料の一連の曲線部分をなす端縁の少なくとも一部が一体的に形成され、前記主パネルと部分パネルは、衣料の一連の曲線部分をなす端縁を位置合わせした状態で、一体的に接合されていることを特徴とする衣料。
【請求項４】
前記主パネル及び部分パネルの少なくとも一方が、熱モールド成形によって三次元形状に形成されていることを特徴とする請求項１乃至３のいずれかに記載の衣料。
【発明の詳細な説明】
【技術分野】
【０００１】
この発明は、ブラジャーやボディースーツ、オールインワン等のファンデーションガーメント全般など、少なくとも二つ以上の部材を組み合わせてなる女性用又は男性用の衣料に関するものである。
【背景技術】
【０００２】
従来、上記ブラジャーやボディースーツ、オールインワン等の女性用衣料としては、例えば、図２０に示すように構成されたブラジャーがある。このブラジャー１００は、左右のバストカップ部１０１、１０２と、左右のバストカップ部１０１、１０２を繋ぐ合わせ部１０３と、左右両サイドのバックパネル１０４、１０５などのパーツを、図２１に示すような生地の裁断工程と縫製工程によって個別に製造し、これら個別に製造された左右のバストカップ部１０１、１０２・左右のカップ部を繋ぎ合わせ部１０３・左右両サイドのバックパネル１０４、１０５などのパーツを、図２２に示すように、互いに縫着することによって製造される。
【発明の開示】
【発明が解決しようとする課題】
【０００３】
しかしながら、上記従来技術の場合には、次のような問題点を有している。すなわち、上記従来のブラジャー１００の場合には、図２０及び図２１に示すように、まず、左右のバストカップ部１０１、１０２と、左右のカップ部を繋ぐ合わせ部１０３と、左右両サイドのバックパネル１０４、１０５などのパーツを、生地の裁断工程と縫製工程によって個別に製造する必要がある。その上で、上記ブラジャー１００は、個別に製造された左右のバストカップ部１０１、１０２と、左右のカップ部を繋ぐ合わせ部１０３と、左右両サイドのバックパネル１０４、１０５とを、互いに縫製工程によって縫い合わせることによって製造される。
【０００４】
そのため、上記ブラジャー１００の場合には、左右のバストカップ部１０１、１０２と、左右のカップ部を繋ぐ合わせ部１０３と、左右両サイドのバックパネル１０４、１０５などの曲線部分が多いパーツを、生地の裁断工程と縫製工程によって個別に製造した上で、個別に製造された左右のバストカップ部１０１、１０２と、左右のバストカップ部１０１、１０２を繋ぐ合わせ部１０３と、左右両サイドのバックパネル１０４、１０５とを、図２４に示すように、細い略長方形に突出した部分１０６、１０７は、５〜６ｍｍレベルの仕上げ幅となり、ミシンによる縫製ではこれを手先で正確な曲線並びに縫代に操作することが困難であり、更に互いに湾曲した曲線部分同士を縫着する必要があり、難易な加工工程が必要となり、熟練を要するばかりか、加工コストが高くなってしまうという問題点を有している。
【０００５】
また、上記従来のブラジャー１００の場合には、左右のバストカップ部１０１、１０２と、左右のカップ部を繋ぐ合わせ部１０３と、左右両サイドのバックパネル１０４、１０５などの曲線部分が多いパーツを、互いに縫着する必要がある。そのため、上記ブラジャー１００は、本来、図２３に示すように、製品の下端縁が滑らかに連続した曲線を形成することが、デザイン上望ましいにも拘わらず、左右のバストカップ部１０１、１０２や左右両サイドのバックパネル１０４、１０５等のパーツを、互いに縫着するため、製品の下端縁が滑らかに連続した曲線とならずに、実際の製品には、図２０に示すように、縫着部のバストカップ部１０１、１０２アンダーの曲線と連動する部分１０３、１０４、１０５の細い略長方形に突出した部分１０６、１０７が凹状にくぼんで曲線が切断されてしまい、本来の複雑なデザインに沿った形状に形成することができないという問題点を有している。つまり、図２５に示すように、パターンが必要とする縫製ラインは、（１）であるが、一般的な縫製技術による縫製ラインは、（２）に示すようになってしまい、本来の複雑なデザインに沿った形状に形成することができない。なお、図２５において、一点鎖線は、縫い止め前のバックパネル１０４のエッジラインを、破線は繋ぎ部のエッジラインをそれぞれ示している。
【０００６】
そこで、この発明は、上記従来技術の問題点を解決するためになされたものであり、その目的とするところは、複雑な曲線部分を有する女性用衣料であっても、難易な加工工程を経ることなく、効率的に低コストで製造することができるとともに、複雑なデザインを有する衣料であっても、精巧に製造することが可能な衣料を提供することにある。
【課題を解決するための手段】
【０００７】
上記の課題を解決するため、請求項１に記載された発明は、所望の形状に形成されたエッジ部を有する衣料において、当該衣料を、製品形状の主要部又は一部分の少なくとも一方を構成するパネルを備えるように構成し、前記パネルには、所望の形状に形成されたエッジ部を分割することなく一体的に形成したことを特徴とする衣料である。なお、この発明では、主パネルにおいて、当該エッジの形を形成するのに最も適切な主パネルの一部又は全部をもって形成する部分パネルを分割することなく構成しても良い。
【０００８】
また、請求項２に記載された発明は、所望の形状に形成されたエッジ部を有する衣料において、当該衣料を、製品形状の主要部を構成する主パネルと、当該主パネルの表面側又は裏面側に配設され、衣料の一部分を構成する部分パネルとを備えるように構成し、前記主パネルと部分パネルには、所望の形状に形成されたエッジ部を分割することなく一体的に形成したことを特徴とする衣料である。
【０００９】
ここで、主パネルの表面側又は裏面側に配設される部分パネルは、原則として、エッジ部を構成する部分が、表裏二枚構成であれば、当然一体であることが望ましく、仮にブラジャーのように、パッド等の芯体があれば、これを含むものである。また、表地がエッジ部をオーバーするパターン、又は裏地がエッジ部をオーバーするパターンもあり、これも含むものである。なお、当該デザインをより効率的且つ精巧に行うためには、表裏を一体的にコーテイングする又はリバーシブル編、ダブルラッセル編等で表裏を一体的に構成した素材が望ましい。
【００１０】
さらに、請求項３に記載された発明は、衣料の製品形状の主要部を構成する主パネルと、当該主パネルの表面側又は裏面側に配設され、衣料の一部分を構成する部分パネルとを備えた衣料において、前記主パネルには、衣料の一連の曲線部分をなす端縁が一体的に形成されるとともに、前記部分パネルにも、前記衣料の一連の曲線部分をなす端縁の少なくとも一部が一体的に形成され、前記主パネルと部分パネルは、衣料の一連の曲線部分をなす端縁を位置合わせした状態で、一体的に接合されていることを特徴とする衣料である。
【００１１】
又、請求項４に記載された発明は、前記主パネル及び部分パネルの少なくとも一方が、熱モールド成形によって三次元形状に形成されていることを特徴とする請求項１乃至３のいずれかに記載の衣料である。
【００１２】
この最も好ましい例としては、ブラジャーが挙げられるが、バスト膨出部（主パネル）とこれに連接されるバックパネル（部分パネル）との接続点は、最も複雑な三次元立体形状が要求される。この所望の立体形状は、平面的ではなく、立体的モールド成形であることが望ましいが、部分的なものであっても良い。更には、デザイン的に人体形状に関係なく、反りをデザインするようなモールド成形であっても良い。
【発明の効果】
【００１３】
この発明によれば、複雑な曲線部分を有する女性用衣料であっても、難易な加工工程を経ることなく、効率的に低コストで製造することができるとともに、複雑なデザインを有する衣料であっても、精巧に製造することが可能な女性用衣料を提供することができる。
【発明を実施するための最良の形態】
【００１４】
以下、添付図面に示すこの発明の一実施の形態に基づいて、この発明を具体的に説明する。
【００１５】
実施の形態１
図１はこの発明の実施の形態１に係る女性用衣料としてのブラジャーを示す構成図である。
【００１６】
図１において、１は女性用衣料としてのブラジャーを示すものであり、このブラジャー１は、左右のバストカップ部２、３と、これら左右のバストカップ部２、３を繋ぐ合わせ部４と、前記左右のバストカップ部２、３の両側に配置されたバックパネル部５、６とから構成されている。また、上記ブラジャー１は、当該ブラジャー１の製品形状の主要部を構成する製品表地としての主パネル７と、当該主パネル７の裏面側に配設され、ブラジャー１の一部分を構成する製品芯地としての部分パネル８とから構成されている。なお、上記バックパネル部５、６の先端には、図示しないフックやアイ等の連結具が取り付けられている。
【００１７】
上記主パネル７には、図２（ａ）に示すように、左右のバストカップ部９、１０と、これら左右のバストカップ部９、１０を繋ぐ合わせ部１１と、前記左右のバストカップ部９、１０の両側に配置されたバックパネル部１２、１３とが一体的に形成されている。また、上記部分パネル８には、図２（ｂ）に示すように、左右のバストカップ部１４、１５と、これら左右のバストカップ部１４、１５を繋ぐ合わせ部１６と、前記左右のバストカップ部１４、１５の両側に配置されたバックパネル部１７、１８の一部とが一体的に形成されている。
【００１８】
ところで、この実施の形態では、所望の形状に形成されたエッジ部を有する女性用衣料において、当該女性用衣料を、製品形状の主要部を構成する主パネルと、当該主パネルの表面側又は裏面側に配設され、女性用衣料の一部分を構成する部分パネルとを備えるように構成し、前記主パネルと部分パネルには、所望の形状に形成されたエッジ部を分割することなく一体的に形成されている。
【００１９】
また、この実施の形態では、前記主パネルには、女性用衣料の一連の曲線部分をなす端縁が一体的に形成されるとともに、前記部分パネルにも、前記女性用衣料の一連の曲線部分をなす端縁の少なくとも一部が一体的に形成され、前記主パネルと部分パネルは、女性用衣料の一連の曲線部分をなす端縁を位置合わせした状態で、一体的に接合されるように構成されている。
【００２０】
すなわち、この実施の形態に係るブラジャー１では、図２（ａ）に示すように、主パネル７には、ブラジャー１の左右のバストカップ部２、３と合わせ部４とを繋ぐ一連の曲線部分をなす端縁１９が一体的に形成されているとともに、左右のバストカップ部２、３とバックパネル部５、６とを繋ぐ一連の曲線部分をなす端縁２０、２１が一体的に形成されている。
【００２１】
また、上記部分パネル８にも、図２（ｂ）に示すように、ブラジャー１の左右のバストカップ部２、３と合わせ部４とを繋ぐ一連の曲線部分をなす端縁２２が一体的に形成されているとともに、左右のバストカップ部２、３とバックパネル４とを繋ぐ一連の曲線部分をなす端縁２３、２４が一体的に形成されている。
【００２２】
上記部分パネル８は、図３及び図４に示すように、人体の胴囲の１／２乃至は１／４の範囲を構成する熱モールド型によって、所定の湾曲形状に熱プレス成型されている。この実施の形態では、特に、人体の側面が、左右のバストカップ部１４、１５とバックパネル部１７、１８の一部とが一体的に構成されている。また、左右のバストカップ部１４、１５と、当該左右のバストカップ部１４、１５を繋ぐ合わせ部１６も、一体的に構成されており、熱モールド型によって熱プレス成型されている。なお、上記主パネル７も、部分パネル８と同様に、熱モールド型によって、所定の湾曲形状に熱プレス成型するように構成しても良い。
【００２３】
そして、上記主パネル７と部分パネル８とは、図５に示すように、縫製又は接着によって一体的に接合されているとともに、当該主パネル７の下端縁には、縁取り用のテープ２５が縫着又は接着されて、アンダー部が仕上げられる。
【００２４】
さらに、上記主パネル７の左右のバストカップ部９、１０には、図１に示すように、その下端縁に沿って、テープで被覆されたボーン２６、２７が縫着されており、ブラジャー１の左右のバストカップ部２、３の輪郭部が仕上げられる。
【００２５】
以上の構成において、この実施の形態に係るブラジャーでは、次のようにして、複雑な曲線部分を有する女性用衣料であっても、難易な加工工程を経ることなく、効率的に低コストで製造することができるとともに、複雑なデザインを有する衣料であっても、精巧に製造することが可能となっている。
【００２６】
すなわち、この実施の形態に係るブラジャー１は、図１に示すように、当該ブラジャー１の製品形状の主要部を構成する製品表地としての主パネル７と、当該主パネル７の裏面側に配設され、ブラジャー１の一部分を構成する製品芯地としての部分パネル８とから構成されており、これら主パネル７と部分パネル８には、図２（ａ）（ｂ）に示すように、左右のバストカップ部２、３と合わせ部４とを繋ぐ一連の曲線部分をなす端縁１９、２２、及び左右のバストカップ部２、３とバックパネル部５、６とを繋ぐ一連の曲線部分をなす端縁２０、２１、２３、２４が一体的に形成されている。
【００２７】
そのため、上記ブラジャー１では、当該ブラジャー１の左右のバストカップ部２、３と合わせ部４とを繋ぐ一連の曲線部分をなす端縁１９、２２や、左右のバストカップ部２、３とバックパネル部５、６とを繋ぐ一連の曲線部分をなす端縁２０、２１、２３、２４が一体的に形成されているので、一連の曲線部分をなす端縁１９、２２や端縁２０、２１、２３、２４が、２つのパーツの縫製によって形成されることがないので、複雑な曲線部分を有する形状であっても、一連に形成することができ、美しい曲線部分を有するブラジャー１を製造することができる。また、上記ブラジャー１は、熟練を要する複雑な縫製工程が不要であるため、製造が容易であり、効率的に低コストで製造することができる。
【００２８】
図６はこの実施の形態１に係るブラジャー１を実際の製品に応用した応用例を示すものであり、このブラジャ−１は、図６に示すように、製品としての左右のバストカップ部２、３の下端縁から、左右のバックパネル部５、６に掛けての一連の曲線部分をなす端縁２０、２３や、左右のバストカップ部２、３の内側の略円弧状に形成された一連の曲線部分をなす端縁３０、３１や、あるいは、製品としての左右のバストカップ部２、３の上端縁から、左右のバックパネル部５、６に掛けての一連の曲線部分をなす端縁３２などが、一体的に形成されているので、流動的なラインを正確に、かつ美しく表現することが可能なブラジャー１を提供することができる。なお、この実施の形態では、左右のバストカップ部２、３を繋ぐ合わせ部４の代わりに、リボン状のパーツ３３が用いられている。
【００２９】
また、図７はこの実施の形態１に係るブラジャー１を実際の製品に応用した他の応用例を示すものであり、このブラジャ−１は、図７に示すように、製品としての左右のバストカップ部２、３と、左右のバックパネル部５、６とが一体的に形成されているので、滑らかな曲線を創出することができるのは勿論のこと、図８に示す従来例のように、左右のバストカップ部２、３と、左右のバックパネル部５、６との接合部として、多数枚の布地やテープを縫い合わせる必要がないので、パターン接合部の厚みを解消することができ、デザイン性の幅を広げることができる。
【００３０】
実施の形態２
図９はこの発明の実施の形態２を示すものであり、前記実施の形態１と同一の部分には同一の符号を付して説明すると、この実施の形態２では、主パネル以外に、部分パネルが複数枚設けられており、これら複数枚の部分パネルが主パネルの表面側に、一体的に接合されている。
【００３１】
すなわち、この実施の形態２に係るブラジャー１は、図９及び図１０に示すように、当該ブラジャー１の主用部を構成する主パネル４０が、左右２枚（図１０では左側のみ図示）に分割されているとともに、当該主パネル４０の表面には、部分パネルとしての第１のパーツ４１と、第２のパーツ４２とが接合されている。
【００３２】
上記主パネル４０は、図１０に示すように、片側のバストカップ部４３と、片側のバックパネル４４とが一体的に形成されているとともに、当該主パネル４０には、ストラップを装着するためのストラップ取付部４５、４６が一体的に形成されている。
また、上記主パネル４０には、ブラジャー１の左右のバストカップ部２、３と合わせ部４とバックパネル部５とを繋ぐ一連の曲線部分をなす端縁４７、４８が一体的に形成されている。
【００３３】
一方、上記部分パネルとしての第１のパーツ４１は、図１０に示すように、片側の一部のバストカップ部４９と、片側の一部のバックパネル部５０とが一体的に形成されている。また、上記第１のパーツ４１には、図１０（ａ）に示すように、片側の一部のバストカップ部４９と片側の一部のバックパネル部５０とを繋ぐ一連の曲線部分をなす端縁５１、５２が一体的に形成されている。
【００３４】
さらに、上記部分パネルとしての第２のパーツ４２は、図１０（ｃ）に示すように、片側の一部のバストカップ部５３を形している。
【００３５】
また、上記第１のパーツ４１及び第２のパーツ４２は、各パーツ単位で、熱モールド型によって熱プレス成型されている。なお、上記第１のパーツ４１に第２のパーツ４２をコーティングした後に、第１のパーツ４１と第２のパーツ４２を一体的に熱モールド型によって熱プレス成型するように構成しても良い。
【００３６】
そして、上記主パネル４０と第１のパーツ４１及び第２のパーツ４２は、図９及び図１１に示すように、縫製又は接着によって一体的に接合されているとともに、当該主パネル４０の周囲には、縁取り用のテープ５４、５５、５６が縫着又は接着されて、アンダー部などが仕上げられる。
【００３７】
このように、上記ブラジャー１は、図９及び図１１に示すように、左右のバストカップ部２、３とバックパネル部５、６との接合部などが、一連の美しい曲線部分に形成することができるとともに、左右のバストカップ部２、３のバックパネル部５、６側の部分を、複数枚の第１のパーツ４１及び第２のパーツ４２によって、パッチワーク的にデザインしたり、主パネル４０のみの部分と、主パネル４０と第１のパーツ４１とからなる部分と、主パネル４０と第１のパーツ４１と第２のパーツ４２とからなる部分とで、ストレッチ性を３段階に設定することができ、バストを中央部に寄せる効果を発揮させることができる。
【００３８】
実施の形態３
図１２はこの発明の実施の形態３を示すものであり、前記実施の形態１と同一の部分には同一の符号を付して説明すると、この実施の形態３では、バストアンダー部を一体的に構成し、バストアップ機能を高めることができるように構成されている。
【００３９】
すなわち、この実施の形態３に係るブラジャー１は、図１２及び図１３に示すように、当該ブラジャー１の全体部分を構成する主パネル６０と、当該主パネル６０の裏面側に配設される裏地パネル６１と、主パネル６０と裏地パネル６１との間に介在された芯地パネル６２とから構成されている。また、上記芯地パネル６２は、左右のバスト部分がカットされており、当該バスト部分にソフトにタッチするように形成されている。
【００４０】
一方、上記主パネル６０と裏地パネル６１と芯地パネル６２は、すべてブラジャー１のバストアンダー部分を有するように形成されており、当該バストアンダー部分が３重に構成されており、バストアンダー部分を確実に支持するように構成されていって、結果的に、バストアップ効果が得られるようになっている。
【００４１】
なお、上記ブラジャー１の上端縁及び下端縁は、縁取り用のテープ６３、６４が縫着又は接着されて仕上げられている。
【００４２】
その他の構成及び作用は、前記実施の形態１と同様であるので、その説明を省略する。
【００４３】
実施の形態４
図１４はこの発明の実施の形態４を示すものであり、前記実施の形態１と同一の部分には同一の符号を付して説明すると、この実施の形態４では、主パネルが複雑なエッジ構成を有するように構成されているとともに、部分パネルが主パネルの複雑なエッジ部分に、個別に一体化するように構成されている。
【００４４】
すなわち、この実施の形態４に係るブラジャー１は、図１４に示すように、当該ブラジャー１の左右のバストカップ部２、３が、上向きに咲いた花の大きな花びらを思わせるようなデザインに形成されており、このブラジャー１の全体を構成する主パネル７０は、図１５に示すように、左右のバストカップ部２、３の下端縁に、下向きに凸状に形成された曲線部分７１、７２を有しているとともに、当該左右のバストカップ部２、３の下端縁と、合わせ部４及び両バックパネル５、６とが、滑らかな曲線部分７３、７４によって、一体的に形成されている。
【００４５】
これに対して、上記ブラジャー１の左右のバストカップ部２、３の上端縁は、上向きに咲いた花の大きな花びらを思わせるように、複雑なエッジ形状７５、７６、７７を有するように構成されている。
【００４６】
また、上記主パネル７０の表面に部分的に接合される部分パネル７８、７９は、図１５に示すように、その下端縁に、左右のバストカップ部２、３の下端縁の一部に沿った曲線部分８０、８１を有しているとともに、その上端縁には、上向きに咲いた花の大きな花びらの、個々の花びらに対応した複雑なエッジ形状８２、８３が一体的に形成されている。
【００４７】
そして、上記主パネル７０と部分パネル７８、７９は、図１４に示すように、縫製又は接着によって一体的に接合されているとともに、必要に応じて、一体的に熱モールド型によって所定の３次元形状に熱プレス成型される。
【００４８】
このように、上記実施の形態４では、ブラジャー１の複雑なエッジ構成を容易に作成することができるとともに、プリント等のテクニックによる一体化を容易に行うことができる。
【００４９】
その他の構成及び作用は、前記実施の形態１と同様であるので、その説明を省略する。
【００５０】
実施の形態５
図１６はこの発明の実施の形態５を示すものであり、前記実施の形態１と同一の部分には同一の符号を付して説明すると、この実施の形態５は、バックパネルにコーティングを施したり、必要部分に芯体を構成するようにしたものである。
【００５１】
すなわち、この実施の形態５に係るブラジャー１は、図１６に示すように、フロントホックタイプに構成されており、左右のバストカップ部２、３が合わせ部分９０、９１も含めて左右に分割されており、これら左右に分割されたバストカップ部２、３の合わせ部分９０、９１の先端には、フックやアイ等の連結具９２、９３が取付けられている。
【００５２】
また、上記ブラジャー１は、図１７に示すように、主パネル９４と、当該主パネル９４の裏面側に配置される第１の部分パネル９５と、当該第１の部分パネル９５の裏面側に配置される第２の部分パネル９６とを備えている。また、第２の部分パネル９６には、フックやアイ等の連結具９２、９３を取付ける部分を補強する力布９７が一体的に設けられている。
【００５３】
このように、上記実施の形態５では、主パネル９４に、第１の部分パネル９５や第２の部分パネル９６が、コーティング等によって一体的に接合されているため、フックやアイ等の連結具９２、９３を取付ける取り付け布９８を縫着した場合であっても、図１８及び図１９（ａ）に示すように、フックやアイ等の連結具９２、９３を取付ける部分を、図１９（ｂ）に示す従来品に比べて薄地に形成することができるという利点をも有している。
【００５４】
その他の構成及び作用は、前記実施の形態１と同様であるので、その説明を省略する。
【図面の簡単な説明】
【００５５】
【図１】図１はこの発明の実施の形態１に係る女性用衣料としてのブラジャーを示す構成図である。
【図２】図２はこの発明の実施の形態１に係る女性用衣料としてのブラジャーの主パネル及び部分パネルを示す構成図である。
【図３】図３はこの発明の実施の形態１に係る女性用衣料としてのブラジャーの部分パネルの成形状態を示す構成図である。
【図４】図４はこの発明の実施の形態１に係る女性用衣料としてのブラジャーの部分パネルの成形状態を示す構成図である。
【図５】図５はこの発明の実施の形態１に係る女性用衣料としてのブラジャーの製造工程を示す構成図である。
【図６】図６はこの発明の実施の形態１に係る女性用衣料としてのブラジャーの応用例を示す構成図である。
【図７】図７はこの発明の実施の形態１に係る女性用衣料としてのブラジャーの他の応用例を示す構成図である。
【図８】図８はブラジャーの従来例を示す構成図である。
【図９】図９はこの発明の実施の形態２に係る女性用衣料としてのブラジャーを示す構成図である。
【図１０】図１０はこの発明の実施の形態２に係る女性用衣料としてのブラジャーの主パネル等を示す構成図である。
【図１１】図１１はこの発明の実施の形態２に係る女性用衣料としてのブラジャー野要部を示す構成図である。
【図１２】図１２はこの発明の実施の形態３に係る女性用衣料としてのブラジャーを示す構成図である。
【図１３】図１３はこの発明の実施の形態３に係る女性用衣料としてのブラジャーの主パネル等を示す構成図である。
【図１４】図１４はこの発明の実施の形態４に係る女性用衣料としてのブラジャーを示す構成図である。
【図１５】図１５はこの発明の実施の形態４に係る女性用衣料としてのブラジャーの主パネル等を示す構成図である。
【図１６】図１６はこの発明の実施の形態５に係る女性用衣料としてのブラジャーを示す構成図である。
【図１７】図１７はこの発明の実施の形態５に係る女性用衣料としてのブラジャーの主パネル等を示す構成図である。
【図１８】図１８はこの発明の実施の形態５に係る女性用衣料としてのブラジャーを示す構成図である。
【図１９】図１９はこの発明の実施の形態５に係る女性用衣料としてのブラジャーの要部を示す構成図である。
【図２０】図２０は従来のブラジャーを示す構成図である。
【図２１】図２１は従来のブラジャーのパーツを示す構成図である。
【図２２】図２２は従来のブラジャーの製造工程を示す構成図である。
【図２３】図２３はブラジャーの理想とする形状を示す構成図である。
【図２４】図２４は従来のブラジャーの製造工程を示す構成図である。
【図２５】図２５は従来のブラジャーの製造工程を示す構成図である。
【符号の説明】
【００５６】
１：ブラジャー、２、３：左右のバストカップ部、４：合わせ部５、６：バックパネル部、７：主パネル、８：部分パネル、１９、２０、２１：一連の曲線部分をなす端縁。
【図１】
2005089880.tif 000003
【図２】
2005089880.tif 000004
【図３】
2005089880.tif 000005
【図４】
2005089880.tif 000006
【図５】
2005089880.tif 000007
【図６】
2005089880.tif 000008
【図７】
2005089880.tif 000009
【図８】
2005089880.tif 000010
【図９】
2005089880.tif 000011
【図１０】
2005089880.tif 000012
【図１１】
2005089880.tif 000013
【図１２】
2005089880.tif 000014
【図１３】
2005089880.tif 000015
【図１４】
2005089880.tif 000016
【図１５】
2005089880.tif 000017
【図１６】
2005089880.tif 000018
【図１７】
2005089880.tif 000019
【図１８】
2005089880.tif 000020
【図１９】
2005089880.tif 000021
【図２０】
2005089880.tif 000022
【図２１】
2005089880.tif 000023
【図２２】
2005089880.tif 000024
【図２３】
2005089880.tif 000025
【図２４】
2005089880.tif 000026
【図２５】
2005089880.tif 000027